(57)【要約】【課題】１つの入力に対して２つの出力のいずれかに動力を伝達することができるようにした回転伝達装置を提供することである。【解決手段】円筒状入力側部材１の外側に外輪３を設け、入力側部材１の内側に内輪５を設ける。入力側部材１と外輪３の相互間に、電磁石２３の電磁コイル２３ａに対する通電の遮断状態により係合状態とされて入力側部材１と外輪３とを結合し、電磁コイル２３ａに対する通電により係合解除状態とされる逆作動型電磁式ローラクラッチ１０を組込む。入力側部材１と内輪５の相互間に、電磁石２３の電磁コイル２３ａに対する通電により係合状態とされて入力側部材１と内輪５とを結合し、通電の遮断により係合解除とされる作動型電磁式ローラクラッチ３０を組込む。各電磁式ローラクラッチ１０、３０の電磁石２３を共通とし、その電磁石２３の通電と遮断とによって、入力側部材１に入力される動力を外輪３と内輪５のいずれか一方に伝達する。【選択図】図１
2005233343.tif 000002
【特許請求の範囲】
【請求項１】
円筒状の入力側部材と、その入力側部材の外側に設けられた第１の出力側部材と、前記入力側部材の内側に設けられた第２の出力側部材と、電磁石の電磁コイルに対する通電と遮断とによって入力側部材と第１の出力側部材とを結合および結合解除する第１の電磁式ローラクラッチと、電磁石の電磁コイルに対する通電と遮断とによって入力側部材と第２の出力側部材とを結合および結合解除する第２の電磁式ローラクラッチとから成り、前記第１の電磁式ローラクラッチと第２の電磁式ローラクラッチの一方を電磁コイルに対する通電によって係合状態とされる作動型とし、他方を電磁コイルに対する通電の遮断によって係合状態とされる逆作動型とし、その作動型電磁式ローラクラッチの電磁石と逆作動型電磁式ローラクラッチの電磁石を共通とした回転伝達装置。
【請求項２】
入力側部材と、その入力側部材の外側に設けられた第１の出力側部材と、その第１の出力側部材と軸方向で対向する第２の出力側部材と、電磁石の電磁コイルに対する通電と遮断とによって入力側部材と第１の出力側部材とを結合および結合解除する第１の電磁式ローラクラッチと、電磁石の電磁コイルに対する通電と遮断とによって入力側部材と第２の出力側部材とを結合および結合解除する第２の電磁式ローラクラッチとから成り、前記第１の電磁式ローラクラッチと第２の電磁式ローラクラッチの一方を電磁コイルに対する通電によって係合状態とされる作動型とし、他方を電磁コイルに対する通電の遮断によって係合状態とされる逆作動型とし、その作動型電磁式ローラクラッチの電磁石と逆作動型電磁式ローラクラッチの電磁石を共通とした回転伝達装置。
【請求項３】
前記作動型電磁式ローラクラッチが、入力側部材と出力側部材の対向面の一方に円筒面を形成し、他方にカム面を設け、そのカム面と円筒面間にローラを組込み、そのローラを保持する保持器と前記カム面が形成された側の部材の相対回転によってローラを円筒面およびカム面に係合させる２方向ローラクラッチと、前記ローラが円筒面およびカム面に対して係合解除される中立位置に保持器を弾性保持するスイッチばねと、電磁石を有し、その電磁石の電磁コイルに対する通電と遮断とによって２方向ローラクラッチの係合および係合解除する制御部とから成り、前記制御部が、保持器に対して回り止めされたアーマチュアと、円筒面を有する側の部材に回り止めされたロータを有し、前記電磁コイルに対する通電によってロータにアーマチュアを吸着させるようにした構成から成る請求項１又は２に記載の回転伝達装置。
【請求項４】
前記逆作動型電磁式ローラクラッチが、入力側部材と出力側部材の対向面の一方に円筒面を形成し、他方にカム面を設け、そのカム面と円筒面間にローラを組込み、そのローラを保持する保持器と前記カム面が形成された側の部材の相対回転によってローラを円筒面およびカム面に係合させる２方向ローラクラッチと、前記ローラが円筒面およびカム面に対して係合解除される中立位置に保持器を弾性保持するスイッチばねと、電磁石を有し、その電磁石の電磁コイルに対する通電と遮断とによって２方向ローラクラッチの係合および係合解除する制御部とから成り、前記制御部が、保持器に対して回り止めされたアーマチュアと、円筒面を有する側の部材に回り止めされたロータと、そのロータに埋設されてアーマチュアをロータに吸着し、電磁コイルに対する通電によってアーマチュアに対する吸引力が低下される永久磁石と、その永久磁石の吸引力の低下時にアーマチュアをロータから離反させる離反ばねとを有して成る請求項１又は２に記載の回転伝達装置。
【発明の詳細な説明】
【技術分野】
【０００１】
この発明は、車両等の動力伝達経路において、動力の伝達と遮断の切換えに用いられる回転伝達装置に関するものである。
【背景技術】
【０００２】
この種の回転伝達装置として、特許文献１に記載されたものが従来から知られている。この回転伝達装置は、入力軸と、その外側に設けられた外輪との間に２方向ローラクラッチを組込み、その２方向ローラクラッチのオン、オフを電磁クラッチにより制御して、入力軸から外輪への回転トルクの伝達と遮断とを行なうようにしている。
【０００３】
ここで、２方向ローラクラッチは、入力軸と外輪との間に保持器を設け、その保持器に形成されたポケット内にローラを組込み、前記入力軸に対する保持器の相対回転により、ローラを入力軸と外輪の対向面に噛み込ませて入力軸の回転を外輪に伝えるようにしている。
【０００４】
一方、電磁クラッチは、保持器に対して回り止めされ、かつ軸方向に移動可能なアーマチュアと、外輪に回り止めされて上記アーマチュアと軸方向で対向するロータと、そのロータと軸方向で対向する電磁石とから成り、上記電磁石の電磁コイルに対する通電によりロータにアーマチュアを吸着し、その吸着面に作用する摩擦抵抗により入力軸に対し保持器を相対回転させて、ローラを入力軸と外輪の対向面に噛み込ませるようにしている。
【０００５】
上記の回転伝達装置においては、電磁石の電磁コイルに対する通電によって２方向ローラクラッチを係合状態とする構成であるため、万一、電磁コイルが断線して通電が不能になると、２方向ローラクラッチを係合させることができなくなり、安全上、問題となるおそれがある。
【０００６】
そのような問題点を解決するため本件の出願人は、特願２００２−３５６９８８号明細書において、永久磁石の吸引力によりロータにアーマチュアを吸着して２方向ローラクラッチを係合させると共に、電磁石の電磁コイルに対する通電によりアーマチュアの吸着を解除して２方向ローラクラッチを係合解除させるようにした逆作動型の回転伝達装置を提案している。
【特許文献１】特開平１０−７１８７２号公報
【発明の開示】
【発明が解決しようとする課題】
【０００７】
ところで、特許文献１に記載された回転伝達装置および逆作動型の回転伝達装置のいずれの回転伝達装置においても、単一の外輪（出力側部材）に対して動力の伝達と遮断とを行なう構成であり、例えば、１つの入力に対して２つの出力のいずれかに動力を伝達しようとする場合には、電磁石によって２方向ローラクラッチを制御する電磁式ローラクラッチユニットを２組使用し、各電磁式ローラクラッチユニットの電磁石をそれぞれ制御する必要が生じる。この場合、回転伝達装置が大型化して組込みに大きなスペースを必要とし、しかも、２つの制御回路を必要とするため、制御が複雑となり、コスト面で不利となる。
【０００８】
この発明の課題は、１つの入力に対して２つの出力のいずれかに動力を伝達することができるようにしたコンパクトでコストの安い回転伝達装置を提供することである。
【課題を解決するための手段】
【０００９】
上記の課題を解決するために、第１の発明においては、円筒状の入力側部材と、その入力側部材の外側に設けられた第１の出力側部材と、前記入力側部材の内側に設けられた第２の出力側部材と、電磁石の電磁コイルに対する通電と遮断とによって入力側部材と第１の出力側部材とを結合および結合解除する第１の電磁式ローラクラッチと、電磁石の電磁コイルに対する通電と遮断とによって入力側部材と第２の出力側部材とを結合および結合解除する第２の電磁式ローラクラッチとから成り、前記第１の電磁式ローラクラッチと第２の電磁式ローラクラッチの一方を電磁コイルに対する通電によって係合状態とされる作動型とし、他方を電磁コイルに対する通電の遮断によって係合状態とされる逆作動型とし、その作動型電磁式ローラクラッチの電磁石と逆作動型電磁式ローラクラッチの電磁石を共通とした構成を採用したのである。
【００１０】
また、第２の発明においては、入力側部材と、その入力側部材の外側に設けられた第１の出力側部材と、その第１の出力側部材と軸方向で対向する第２の出力側部材と、電磁石の電磁コイルに対する通電と遮断とによって入力側部材と第１の出力側部材とを結合および結合解除する第１の電磁式ローラクラッチと、電磁石の電磁コイルに対する通電と遮断とによって入力側部材と第２の出力側部材とを結合および結合解除する第２の電磁式ローラクラッチとから成り、前記第１の電磁式ローラクラッチと第２の電磁式ローラクラッチの一方を電磁コイルに対する通電によって係合状態とされる作動型とし、他方を電磁コイルに対する通電の遮断によって係合状態とされる逆作動型とし、その作動型電磁式ローラクラッチの電磁石と逆作動型電磁式ローラクラッチの電磁石を共通とした構成を採用したのである。
【００１１】
前記第１の発明および第２の発明に係る回転伝達装置において、作動型電磁式ローラクラッチとして、入力側部材と出力側部材の対向面の一方に円筒面を形成し、他方にカム面を設け、そのカム面と円筒面間にローラを組込み、そのローラを保持する保持器と前記カム面が形成された側の部材の相対回転によってローラを円筒面およびカム面に係合させる２方向ローラクラッチと、前記ローラが円筒面およびカム面に対して係合解除される中立位置に保持器を弾性保持するスイッチばねと、電磁石を有し、その電磁石の電磁コイルに対する通電と遮断とによって２方向ローラクラッチの係合および係合解除する制御部とから成り、前記制御部が、保持器に対して回り止めされたアーマチュアと、円筒面を有する側の部材に回り止めされたロータを有し、前記電磁コイルに対する通電によってロータにアーマチュアを吸着させるようにした構成から成るものを採用している。
【００１２】
また、逆作動型電磁式ローラクラッチとして、入力側部材と出力側部材の対向面の一方に円筒面を形成し、他方にカム面を設け、そのカム面と円筒面間にローラを組込み、そのローラを保持する保持器と前記カム面が形成された側の部材の相対回転によってローラを円筒面およびカム面に係合させる２方向ローラクラッチと、前記ローラが円筒面およびカム面に対して係合解除される中立位置に保持器を弾性保持するスイッチばねと、電磁石を有し、その電磁石の電磁コイルに対する通電と遮断とによって２方向ローラクラッチの係合および係合解除する制御部とから成り、前記制御部が、保持器に対して回り止めされたアーマチュアと、円筒面を有する側の部材に回り止めされたロータと、そのロータに埋設されてアーマチュアをロータに吸着し、電磁コイルに対する通電によってアーマチュアに対する吸引力が低下される永久磁石と、その永久磁石の吸引力の低下時にアーマチュアをロータから離反させる離反ばねとを有して成るものを採用している。
【発明の効果】
【００１３】
上記のように、第１の発明および第２の発明のいずれの発明も、入力側部材と第１の出力側部材とを結合および結合解除する電磁式ローラクラッチと、入力側部材と第２の出力側部材とを結合および結合解除する電磁式ローラクラッチの一方を電磁石の電磁コイルに対する通電によって係合状態とされる作動型の電磁式ローラクラッチとし、他方を電磁石の電磁コイルに対する通電によって係合解除状態とされる逆作動型の電磁式ローラクラッチとして、両電磁式ローラクラッチの電磁石を共通としたことにより、電磁石の電磁コイルに対する通電と遮断とによって、入力側部材に入力される動力を第１出力側部材と第２出力側部材のいずれかに伝達することができる。
【００１４】
また、電磁石を共通としたことによって、コンパクトな回転伝達装置を得ることができると共に、その電磁石の電磁コイルに対する通電と遮断とによって作動型電磁式ローラクラッチと逆作動型電磁式ローラクラッチの係合および係合解除を制御することができるので、制御も容易であり、回転伝達装置の低コスト化を図ることができる。
【発明を実施するための最良の形態】
【００１５】
以下、この発明の実施の形態を図面に基づいて説明する。図１乃至図６は、この発明に係る回転伝達装置の第１の実施形態を示す。
【００１６】
図１に示すように、入力側部材１は、閉塞端を有する円筒状をなし、その入力側部材１の端部に大径部２が設けられている。
【００１７】
入力側部材１の外側には第１の出力側部材としての外輪３が設けられ、その外輪３と入力側部材１とは軸受４を介して相対的に回転自在に支持されている。
【００１８】
入力側部材１の内側には第２の出力側部材としての内輪５が設けられている。内輪５は大径部６を有し、その内輪５と入力側部材１とは軸受７を介して相対的に回転自在に支持されている。また、内輪５は出力軸８の端部に嵌合され、セレーション９により回り止めされている。
【００１９】
入力側部材１と外輪３の相互間には第１の電磁式ローラクラッチ１０が組込まれ、一方、入力側部材１と内輪５の相互間には第２の電磁式ローラクラッチ３０が組込まれている。
【００２０】
第１の電磁式ローラクラッチ１０は、入力側部材１と外輪３を結合および結合解除する２方向ローラクラッチＲＣ1 と、その２方向ローラクラッチＲＣ1 の係合および係合解除を制御する制御部ＥＣ1 とから成る。
【００２１】
図２および図３に示すように、２方向ローラクラッチＲＣ1 は、外輪３の内周に円筒面１１を形成し、入力側部材１の大径部２の外周には上記円筒面１１との間でくさび形空間を形成する複数のカム面１２を周方向に等間隔に設け、各カム面１２と円筒面１１間にローラ１３を組込み、各ローラ１３を入力側部材１と外輪３間に組込まれた保持器１４で支持し、上記入力側部材１に対する保持器１４の相対回転によってローラ１３を円筒面１１およびカム面１２に対して係合または係合解除させるようにしている。
【００２２】
上記保持器１４は入力側部材１との間に組込まれたスイッチばね１５によってローラ１３が円筒面１１およびカム面１２に対して係合解除される中立位置に弾性保持されている。
【００２３】
ここで、スイッチばね１５はＣ形をなし、その両端には一対の押圧片１５ａが外向きに設けられている。このスイッチばね１５は入力側部材１の大径部２の端面外周部に形成され凹部１６内に嵌合され、その両端の押圧片１５ａは上記凹部１６の周壁に形成された切欠部１７から保持器１４の端部に形成された切欠き１８内に挿入されて、切欠部１７および切欠き１８の周方向で対向する端面を相反する方向に押圧している。
【００２４】
図３に示すように、制御部ＥＣ1 は、保持器１４の端面と軸方向で対向するアーマチュア２１と、そのアーマチュア２１と軸方向で対向するロータ２２と、そのロータ２２と軸方向で対向する電磁石２３とを有している。
【００２５】
アーマチュア２１には係合孔２４が設けられ、一方、保持器１４の端面には突片２５が形成され、上記係合孔２４に対する突片２５の係合によってアーマチュア２１は保持器１４に対して回り止めされ、かつ軸方向に移動可能とされている。
【００２６】
ロータ２２は、外輪３の端部内に取付けられた非磁性体から成るロータガイド２６内に圧入されて外輪３に回り止めされている。このロータ２２とアーマチュア２１間にはアーマチュア２１をロータ２２から離反する方向に押圧する離反ばね２７が組込まれている。また、ロータ２２にはアーマチュア２１に対する対向面に永久磁石２８が埋設されている。永久磁石２８の磁束はアーマチュア２１とロータ２２の相互間で図３の矢印（イ）で示すように流れてアーマチュア２１に吸引力が付与され、その吸引力は離反ばね２７のばね力より大きくなっている。このため、アーマチュア２１はロータ２２に吸着される状態に保持される。
【００２７】
電磁石２３は図示省略した静止部材に支持されている。この電磁石２３は電磁コイル２３ａを有し、その電磁コイル２３ａに通電すると、図５に示すように、アーマチュア２１の内部に矢印（ロ）で示す磁束が流れて、その磁束により永久磁石２８の磁束が打消され、または弱められ、アーマチュア２１の永久磁石２８による吸着が解除される。このとき、離反ばね２７のばね力によってアーマチュア２１がロータ２２から離反するようになっている。
【００２８】
図１に示すように、第２の電磁式ローラクラッチ３０は、入力側部材１と内輪５を結合および結合解除する２方向ローラクラッチＲＣ2 と、その２方向ローラクラッチＲＣ2 の係合および係合解除を制御する制御部ＥＣ2 とから成る。
【００２９】
図２に示すように、２方向ローラクラッチＲＣ2 は、内輪５の外周に円筒面３１を形成し、入力側部材１の内周には上記円筒面３１との間でくさび形空間を形成する複数のカム面３２を周方向に等間隔に設け、各カム面３２と円筒面３１間にローラ３３を組込み、各ローラ３３を入力側部材１と内輪５間に組込まれた保持器３４で保持し、上記入力側部材１に対する保持器３４の相対回転によってローラ３３を円筒面３１およびカム面３２に係合または係合解除させるようにしている。
【００３０】
上記保持器３４は入力側部材１との間に組込まれたスイッチばね３５によってローラ３３が円筒面３１およびカム面３２に対して係合解除される中立位置に弾性保持されている。
【００３１】
ここで、スイッチばね３５はＣ形をなし、その両端には一対の押圧片３５ａが内向きに設けられている。このスイッチばね３５は入力側部材１の大径部２の端面内周部に形成された凹部３６内に嵌合され、両端の押圧片３５ａは上記凹部３６の内周壁に形成された切欠部３７から保持器３４の端部に設けられた切欠き３８内に挿入されて、切欠部３７および切欠き３８の周方向で対向する端面を相反する方向に押圧している。
【００３２】
図３に示すように、制御部ＥＣ2 は、保持器３４の端面と軸方向で対向するアーマチュア４１と、そのアーマチュア４１と軸方向で対向するロータ４２と、そのロータ４２と軸方向で対向し、前記第１の電磁式ローラクラッチ１０と共通の電磁石２３とを有している。
【００３３】
アーマチュア４１には係合孔４４が形成され、一方、保持器３４の端面には突片４５が設けられ、上記係合孔４４に対する突片４５の係合によってアーマチュア４１は保持器３４に対して回り止めされ、かつ軸方向に移動可能とされている。
【００３４】
ロータ４２は、内輪５の端部に取付けられた非磁性体から成るロータガイド４６の外側に圧入されて内輪５に回り止めされ、上記アーマチュア４１と対向する位置にスリット４７が設けられている。このロータ４２とアーマチュア４１間には離反ばね４８が組込まれ、その離反ばね４８はアーマチュア４１をロータ４２から離反させる方向に押圧している。
【００３５】
上記の構成から成る制御部ＥＣ2 において、電磁石２３の電磁コイル２３ａに通電すると、アーマチュア４１とロータ４２の内部に図５の矢印（ロ）で示す磁束が流れてアーマチュア４１に離反ばね４８のばね力より大きい吸引力が付与され、アーマチュア４１がロータ４２に吸着されるようになっている。
【００３６】
第１の実施形態で示す回転伝達装置は上記の構造から成り、電磁石２３の電磁コイル２３ａに対する通電の遮断状態において、第１の電磁式ローラクラッチ１０のアーマチュア２１は、図３に示すように、永久磁石２８の吸引力によってロータ２２に吸着されている。
【００３７】
一方、第２の電磁式ローラクラッチ３０のアーマチュア４１は離反ばね４８の押圧によってロータ４２に対して非接触の状態に保持されている。
【００３８】
上記のような状態において、入力側部材１に動力が入力されてその入力側部材１が回転すると、第１の電磁式ローラクラッチ１０のアーマチュア２１とロータ２２の吸着面に作用する摩擦抵抗が保持器１４の回転抵抗となるため、上記保持器１４は入力側部材１に対して相対回転し、その相対回転によって、スイッチばね１５が弾性変形すると共に、図４に示すように、ローラ１３が円筒面１１およびカム面１２に係合して、第１の電磁式ローラクラッチ１０の２方向ローラクラッチＲＣ1 は係合状態となり、入力側部材１と外輪３が結合される。
【００３９】
このため、入力側部材１の回転はローラ１３を介して外輪３に伝達される。このとき、第２の電磁式ローラクラッチ３０においては、アーマチュア４１とロータ４２は非接触の状態であるため、アーマチュア４１には回転抵抗は負荷されず、そのアーマチュア４１および保持器３４はスイッチばね３５を介して入力側部材１と共に回転し、図４に示すように、ローラ３３は中立位置に保持された状態で入力側部材１と共に回転して、入力側部材１の回転が内輪５に伝達されることはない。
【００４０】
電磁石２３の電磁コイル２３ａに通電すると、図５に示すように、第１の電磁式ローラクラッチ１０におけるアーマチュア２１の内部には矢印（ロ）で示すように、永久磁石２８の磁束を打消し、または弱めるような磁束が流れるため、アーマチュア２１の吸着は解除され、離反ばね２７の押圧によりアーマチュア２１がロータ２２から離れ、スイッチばね１５の復元弾性により保持器１４が回動されて、図６に示すように、ローラ１３が中立位置に戻される。
【００４１】
このため、入力側部材１から外輪３への動力の伝達が遮断されて外輪３が停止する。
【００４２】
一方、電磁コイル２３ａに対する通電により、第２の電磁式ローラクラッチ３０のアーマチュア４１に吸引力が付与され、図５に示すように、アーマチュア４１がロータ４２に吸着される。その吸着面に作用する摩擦抵抗は保持器３４の回転抵抗となるため、保持器３４は入力側部材１より遅れて回転し、その保持器３４と入力側部材１の相対回転により、スイッチばね３５が弾性変形すると共に、図６に示すように、ローラ３３が円筒面３１およびカム面３２に係合して、第２の電磁式ローラクラッチ３０の２方向ローラクラッチＲＣ2 が係合状態とされる。
【００４３】
このため、入力側部材１の回転は内輪５に伝達されて、内輪５が入力側部材１と共に回転する。
【００４４】
電磁石２３の電磁コイル２３ａに対する通電を遮断すると、第２の電磁式ローラクラッチ３０のアーマチュア４１は吸着が解除されて離反ばね４８の押圧によりアーマチュア４１がロータ４２から離反し、スイッチばね３５の復元弾性により保持器３４が回動されて、図４に示すように、ローラ３３が中立位置に戻され、入力側部材１から内輪５への動力の伝達が遮断される。
【００４５】
一方、第１の電磁式ローラクラッチ１０におけるアーマチュア２１は永久磁石２８の吸引力により、図３に示すように、ロータ２２に吸着され、その吸着面に作用する摩擦抵抗が保持器１４の回転抵抗となるため、保持器１４が入力側部材１より遅れて回転し、その相対回転により、図４に示すように、ローラ１３が円筒面１１およびカム面１２に係合し、入力側部材１の回転が外輪３に伝達される。
【００４６】
このように、共通の電磁石２３の電磁コイル２３ａに対する通電を遮断すると、第１の電磁式ローラクラッチ１０の２方向ローラクラッチＲＣ1 が係合して入力側部材１と外輪３が結合されると共に、第２の電磁式ローラクラッチ３０の２方向ローラクラッチＲＣ2 が係合解除されて、入力側部材１と内輪５の結合が解除され、また、電磁コイル２３ａに通電すると、第１の電磁式ローラクラッチ１０の２方向ローラクラッチＲＣ1 が係合解除されて入力側部材１と外輪３の結合が解除されると共に、第２の電磁式ローラクラッチＲＣ2 が係合されて入力側部材１と内輪５が結合される。
【００４７】
このため、電磁石２３の電磁コイル２３ａに対する通電と遮断とによって、入力側部材１の動力を外輪３と内輪５のいずれか一方に伝達することができる。
【００４８】
また、電磁石２３を共通としたことにより、コンパクトな回転伝達装置を得ることができると共に、制御が容易であり、回転伝達装置の低コスト化を図ることができる。
【００４９】
第１の実施形態では、第１の電磁式ローラクラッチ１０のロータ２２に永久磁石２８を埋設して、電磁コイル２３ａに対する通電によって２方向ローラクラッチＲＣ1 が係合解除される逆作動型の電磁式ローラクラッチとしたが、第２の電磁式ローラクラッチ３０のロータ４２に永久磁石を埋設して、その第２の電磁式ローラクラッチ３０を逆作動型としてもよい。この場合、第１の電磁式ローラクラッチ１０のロータ２２にスリットを設けるようにする。
【００５０】
図７および図８は、この発明に係る回転伝達装置の第２の実施形態を示す。この第２の実施形態で示す回転伝達装置と、図１乃至図６に示す第１実施形態の回転伝達装置とは、第１の電磁式ローラクラッチ１０および第２の電磁式ローラクラッチ３０の構成が相違している。
【００５１】
第１の電磁式ローラクラッチ１０の２方向ローラクラッチＲＣ1 は、入力側部材１の大径部２の外周に円筒面５１を形成し、外輪３の内周に複数のカム面５２を設け、各カム面５２と円筒面５１間にローラ５３を組込み、各ローラ５３を保持する保持器５４と外輪３の相互間にスイッチばね５５を組込んでローラ５３が円筒面５１およびカム面５２に対して係合解除される中立位置に保持器５４を弾性保持するようにしている。
【００５２】
また、２方向ローラクラッチＲＣ1 を制御する制御部ＥＣ1 は、保持器５４に回り止めされ、かつ軸方向に移動可能に支持されたアーマチュア５６にロータ５７を対向すると共に、そのロータ５７に電磁石５８を対向し、上記ロータ５７を図示省略した非磁性体から成るロータ支持体を介して入力側部材１の端面に固定し、そのロータ５７とアーマチュア５６間に離反ばね５９を組込むと共に、ロータ５７のアーマチュア５６に対する対向面に永久磁石６０を埋設している。
【００５３】
一方、第２の電磁式ローラクラッチ３０の２方向ローラクラッチＲＣ2 は、入力側部材１の大径部２の内周に円筒面６１を形成し、内輪５の外周に複数のカム面６２を設け、各カム面６２と円筒面６１間にローラ６３を組込み、各ローラ６３を保持する保持器６４と内輪５の相互間にスイッチばね６５を組込んでローラ６３が円筒面６１およびカム面６２に対して係合解除される中立位置に保持器６４を弾性保持している。
【００５４】
また、上記の２方向ローラクラッチＲＣ2 を制御する制御部ＥＣ2 は、保持器６４に回り止めされ、かつ軸方向に移動可能なアーマチュア６６にロータ５７を対向すると共に、そのロータ５７に電磁石５８を対向し、上記アーマチュア６６とロータ５７との間に離反ばね６７を組込むと共に、ロータ５７にはアーマチュア６６と対向する位置にスリット６８を形成しており、上記ロータ５７および電磁石５８を共通としている。
【００５５】
他の構成は、第１の実施形態で示す回転伝達装置と同一であるため、同一部品には同一符号を付して説明を省略する。
【００５６】
上記の構成から成る回転伝達装置において、共通の電磁石５８の電磁コイル５８ａに対する通電の遮断状態において、入力側部材１が回転すると、外輪３に対してアーマチュア５６が相対回転して第１の電磁式ローラクラッチ１０の２方向ローラクラッチＲＣ1 が係合状態となり、入力側部材１と外輪３とが２方向ローラクラッチＲＣ1 により結合されて入力側部材１の動力が外輪３に伝達される。
【００５７】
このとき、第２の電磁式ローラクラッチ３０の２方向ローラクラッチＲＣ2 は係合解除状態にあるため、内輪５に動力が伝達されることはない。
【００５８】
電磁石５８の電磁コイル５８ａに通電すると、第１の電磁式ローラクラッチ１０のアーマチュア５６内に流れる磁束によって永久磁石６０の磁束が打消され、または弱められるため、離反ばね５９の押圧によりアーマチュア５６がロータ５７から離反し、スイッチばね５５の弾性により保持器５４が回動されて、ローラ５３が中立位置に戻され、２方向ローラクラッチＲＣ1 は係合解除状態とされる。このため、入力側部材１から外輪３への動力の伝達が遮断される。
【００５９】
一方、第２の電磁式ローラクラッチ３０のアーマチュア６６がロータ５７に吸着され、その吸着面に作用する摩擦抵抗により、保持器６４が内輪５に対して相対回転し、ローラ６３が円筒面６１およびカム面６２に係合し、２方向ローラクラッチＲＣ2 は係合状態とされる。このため、入力側部材１と内輪５は２方向ローラクラッチＲＣ2 により結合され、入力側部材１の動力が内輪５に伝達される。
【００６０】
上記第２の実施形態における回転伝達装置においても、電磁石５８の電磁コイル５８ａに対する通電と遮断とによって、入力側部材１の動力を外輪３と内輪５のいずれかに伝達することができると共に電磁石５８は共通であるため、制御が容易である。
【００６１】
また、ロータ５７および電磁石５８を共通としたことによって、部品点数が少なく、小型、コンパクトなコストの安い回転伝達装置を得ることができる。
【００６２】
第２の実施形態では、ロータ５７に埋設した永久磁石６０によって第１の電磁式ローラクラッチ１０のアーマチュア５６を吸着するようにしたが、上記永久磁石６０を第２電磁式ローラクラッチ３０のアーマチュア６６と対向する位置に埋設して、上記アーマチュア６６を吸着するようにしてもよい。この場合、ロータ５７には第１の電磁式ローラクラッチ１０のアーマチュア５６と対向する位置にスリットを設けるようにする。
【００６３】
図９乃至図１２は、この発明に係る回転伝達装置の第３の実施形態を示す。図９に示すように、入力側部材７０は、入力軸７１とその入力軸７１に嵌合された２個の内輪７２ａ、７２ｂとから成り、各内輪７２ａ、７２ｂはセレーション７３により入力軸７１に回り止めされている。
【００６４】
２個の内輪７２ａと７２ｂのうち、一方の内輪７２ａの外側には第１の出力側部材としての第１外輪７４が設けられ、また、他方の内輪７２ｂの外側には第２の出力側部材としての第２外輪７５が設けられている。第１外輪７４および第２外輪７５はその内側の内輪７２ａ、７２ｂとの間に組込まれた軸受７６によって回転自在に支持されている。
【００６５】
ここで、第１外輪７４と第２外輪７５は同一の形状とされ、左右対称の配置とされている。
【００６６】
第１外輪７４とその内側に設けられた内輪７２ａの相互間には第３の電磁式ローラクラッチ８０が設けられ、一方、第２外輪７５とその内側に設けられた内輪７２ｂの相互間には第４の電磁式ローラクラッチ９０が設けられている。
【００６７】
ここで、第３の電磁式ローラクラッチ８０は、図１において先に述べた第１の電磁式ローラクラッチ１０と同一の構成とされている。このため、第１の電磁式ローラクラッチ１０と同一の部品には同一符号を付して説明を省略する。
【００６８】
一方、第４の電磁式ローラクラッチ９０は、第３の電磁式ローラクラッチ８０のロータ２２に埋設された永久磁石２８を省略して、その永久磁石２８の代りにスリット９１を形成した点および左右対称の配置とした点でのみ第３の電磁式ローラクラッチ８０と相違しており、電磁石２３を共通としている。他の構成は第３の電磁式ローラクラッチ８０と同一であるため、同一部品には同一の符号を付して説明を省略する。
【００６９】
上記の構成から成る回転伝達装置において、電磁石２３の電磁コイル２３ａに対する通電の遮断状態において、入力側部材７０が回転すると、入力側部材７０と保持器１４が相対回転して第３の電磁式ローラクラッチ８０の２方向ローラクラッチＲＣ1 が係合状態となり、その２方向ローラクラッチＲＣ1 により入力側部材７０と第１外輪７４が結合される。このため、入力側部材７０の動力は第１外輪７４に伝達される。
【００７０】
一方、第４の電磁式ローラクラッチ９０の２方向ローラクラッチＲＣ1 は係合解除であるため、入力側部材７０から第２外輪７５に動力は伝達されることはない。
【００７１】
電磁石２３の電磁コイル２３ａに通電すると、第３の電磁式ローラクラッチ８０のアーマチュア２１の内部に、図１２の矢印（ロ）で示すように、永久磁石２８の磁束を打消し、または弱めるような磁束が流れるため、離反ばね２７の押圧によりアーマチュア２１がロータ２２から離反すると共に、スイッチばね１５のばね力により保持器１４が回動し、ローラ１３が円筒面１１およびカム面１２に対して係合解除された中立位置に戻され、２方向ローラクラッチＲＣ1 は係合解除される。このため、入力側部材７０と第１外輪７４の結合が解除され、第１外輪７４への動力の伝達が遮断される。
【００７２】
一方、第４の電磁式ローラクラッチ９０のアーマチュア２１の内部に図１２の矢印（ロ）で示す磁束が流れてアーマチュア２１に吸引力が付与され、その吸引力によってアーマチュア２１はロータ２２に吸着される。その吸着面に作用する摩擦抵抗は保持器１４の回転抵抗となるため、入力側部材７０と保持器１４は相対回転する。その相対回転により、スイッチばね１５が弾性変形すると共に、ローラ１３が円筒面１１およびカム面１２に係合し、２方向ローラクラッチＲＣ1 は係合状態となり、入力側部材７０と第２外輪７５が結合される。このため、入力側部材７０の動力は第２外輪７５に伝達される。
【００７３】
なお、電磁コイル２３ａに対する通電を遮断すると、第４の電磁式ローラクラッチ９０の２方向ローラクラッチＲＣ1 は係合解除され、第２外輪７５への動力の伝達が遮断されると共に、第３の電磁式ローラクラッチ８０の２方向ローラクラッチＲＣ1 は係合状態とされ、入力側部材７０の動力が第１外輪７４に伝達される。
【００７４】
第３の実施形態に示す回転伝達装置においても、電磁石２３の電磁コイル２３ａに対する通電と遮断とによって入力側部材７０の動力を第１外輪７４と第２外輪７５のいずれかに伝達することができると共に、電磁石２３が共通であるため、制御が容易であり、回転伝達装置のコストの低減化を図ることができる。
【図面の簡単な説明】
【００７５】
【図１】この発明に係る回転伝達装置の第１の実施形態を示す縦断正面図
【図２】図１のII−II線に沿った断面図
【図３】図１に示す回転伝達装置の制御部の拡大断面図
【図４】図１に示す回転伝達装置の第１の電磁式ローラクラッチの係合状態を示す断面図
【図５】図１に示す回転伝達装置の第２の電磁式ローラクラッチのアーマチュアの吸着状態を示す断面図
【図６】図１に示す回転伝達装置の第２の電磁式ローラクラッチの係合状態を示す断面図
【図７】この発明に係る回転伝達装置の第２の実施形態を示す断面図
【図８】図７のVIII−VIII線に沿った断面図
【図９】この発明に係る回転伝達装置の第３の実施形態を示す縦断正面図
【図１０】図９のＸ−Ｘ線に沿った断面図
【図１１】図９に示す回転伝達装置の電磁式ローラクラッチの制御部分を拡大して示す断面図
【図１２】図９に示す回転伝達装置の第４の電磁式ローラクラッチの係合状態を示す断面図
【符号の説明】
【００７６】
１  入力側部材
３  外輪（第１の出力側部材）
５  内輪（第２の出力側部材）
１０  第１の電磁式ローラクラッチ
ＲＣ1   ２方向ローラクラッチ
１１  円筒面
１２  カム面
１３  ローラ
１４  保持器
１５  スイッチばね
ＥＣ1   制御部
２１  アーマチュア
２２  ロータ
２３  電磁石
２３ａ  電磁コイル
２７  離反ばね
２８  永久磁石
３０  第２の電磁式ローラクラッチ
ＲＣ2   ２方向ローラクラッチ
３１  円筒面
３２  カム面
３３  ローラ
３４  保持器
３５  スイッチばね
４１  アーマチュア
４２  ロータ
５１  円筒面
５２  カム面
５３  ローラ
５４  保持器
５５  スイッチばね
５６  アーマチュア
５７  ロータ
５８  電磁石
５８ａ  電磁コイル
６１  円筒面
６２  カム面
６３  ローラ
６４  保持器
６６  アーマチュア
７０  入力側部材
７４  第１外輪（第１の出力側部材）
７５  第２外輪（第２の出力側部材）
８０  第３の電磁式ローラクラッチ
９０  第４の電磁式ローラクラッチ
【図１】
2005233343.tif 000003
【図２】
2005233343.tif 000004
【図３】
2005233343.tif 000005
【図４】
2005233343.tif 000006
【図５】
2005233343.tif 000007
【図６】
2005233343.tif 000008
【図７】
2005233343.tif 000009
【図８】
2005233343.tif 000010
【図９】
2005233343.tif 000011
【図１０】
2005233343.tif 000012
【図１１】
2005233343.tif 000013
【図１２】
2005233343.tif 000014